(57)【要約】【課題】結合や離脱が容易で、顕微鏡の対物レンズ加温用ヒータの加温部のような負荷側を動かすときに電源側と離脱してコードの断線を阻止でき、その後は速やかに再結合できる、一対のコードコネクタの提供。【解決手段】コードコネクタ３の配列面１９には複数のコンタクト２３と共に、マグネット２９、３１が配列され、コードコネクタ３５の配列面４７にも複数のコンタクト５１と共に、マグネット５３、５５が配列されている。Ｓ−Ｎ吸着によりコンタクトどうしが導通接続されるが、ある程度の力で引き離せば容易に離脱する。従って、負荷側を動かすような場合には、コードコネクタ３、３５を離して、コード２７が引っ張られるのを阻止することができる。【選択図】  図２
2017009675.tif 000002
【特許請求の範囲】
【請求項１】
２つ１組のコンタクトが配列された配列面を有するボディと、前記ボディに差し込まれ前記コンタクトと内部で導通接続されたコードを有するコードコネクタを一対備え、
各コードコネクタにはマグネットも配列されており、
一対のコードコネクタのそれぞれの配列面どうしがマグネットによりＮ−Ｓ吸着することを特徴とする一対のコードコネクタ。
【請求項２】
請求項１に記載した一対のコードコネクタにおいて、
各コードコネクタの配列面では、コンタクト配列を挟んでその両側にＳ極のマグネットとＮ極のマグネットが配列されていることを特徴とする一対のコードコネクタ。
【請求項３】
請求項２に記載した一対のコードコネクタにおいて、
Ｎ極とＳ極は色分け表示されていることを特徴とする一対のコードコネクタ。
【請求項４】
請求項１から３のいずれかに記載した一対のコードコネクタにおいて、
一方のコードコネクタの配列面には凹部が設けられ、他方のコードコネクタの配列面には凸部が設けられ、凹凸係合することを特徴とする一対のコードコネクタ。
【請求項５】
請求項１から４のいずれかに記載した一対のコードコネクタにおいて、
コードコネクタどうしの結合を機械的に保持する機械的ロック手段が設けられていることを特徴とする一対のコードコネクタ。
【請求項６】
請求項５に記載した一対のコードコネクタにおいて、
機械的ロック手段は、
一方のコードコネクタのボディに結合・離脱方向への移動及び配列面の軸周り回転が可能に外嵌された外筒部と、前記外筒部から前記配列面を超えて先方に突出する爪部と、
他方のコードコネクタのボディの外面から突出する掛け部によって構成されていることを特徴とする一対のコードコネクタ。
【請求項７】
請求項６に記載した一対のコードコネクタにおいて、
外筒部は、ボティに対して、離脱方向の待機位置に弾性的に付勢されていることを特徴とする一対のコードコネクタ。
【請求項８】
請求項１から７のいずれかに記載した一対のコードコネクタを介して、顕微鏡の対物レンズ加温用ヒータの加温部とコントローラがコード接続され、温度センサーのセンサー線と加温用の発熱線が前記コードコネクタを介して導通することを特徴とする顕微鏡の対物レンズ加温用ヒータ。
【請求項９】
請求項８に記載した顕微鏡の対物レンズ加温用ヒータにおいて、
加温部が柔軟なシートで構成されており、倒立顕微鏡用レボルバの対物レンズの鏡筒の隙間から露出した上面に上側から被せて装着することを特徴とする顕微鏡の対物レンズ加温用ヒータ。
【発明の詳細な説明】
【技術分野】
【０００１】
本発明はコードどうしを導通接続する一対のコードコネクタに係り、特に、顕微鏡の対物レンズ加温用ヒータのように、負荷側を動かすようなものに繋げるのに適した一対のコードコネクタに関するものである。
【背景技術】
【０００２】
細胞等の検体を所定の温度に保ち培養しながら顕微鏡で観察する場合には、顕微鏡観察用加温装置が用いられている。この顕微鏡観察用加温装置は容器乃至プレート状の加温部を顕微鏡のステージに装着し、その加温部から熱を検体に与えるようになっている。
而して倒立顕微鏡を用いて高倍率で検体を液浸で観察するような場合には、対物レンズが水やオイルを介して接触するため、熱が対物レンズに奪われ易く、顕微鏡観察用加温装置側の温度制御のみでは、検体を所望の温度に正確に保つのが困難となる。
【０００３】
そこで、顕微鏡観察用加温装置とは別に、特許文献１では、レンズヒータの併用が提案されている。このレンズヒータは、対物レンズの鏡筒に専用の加温部を巻き付けて加温するものであり、この加温部はコントローラ（電源）にコードで繋がれて電源供給されている。
ところで、顕微鏡観察中にはレボルバを回して対物レンズを代える場合があり、その場合には繋がれたコードも引きずられることになるが、その際に強く引っ張られると、コードが断線する恐れがある。一方、コードを必要以上に長くして弛ませると、今度は周囲の物や人に引っ掛り易くなり、好ましくない。
【先行技術文献】
【特許文献】
【０００４】
【特許文献１】特開２００２−２５０８６９号公報
【発明の概要】
【発明が解決しようとする課題】
【０００５】
本発明は上記した従来の問題点に鑑みて為されたものであり、結合や離脱が容易で、顕微鏡の対物レンズ加温用ヒータの加温部のように負荷側を動かしたいときには電源側と離脱してコードの断線を阻止でき、その後は速やかに再結合できる、新規且つ有用な一対のコードコネクタを提供することを、その目的とする。
また、本発明は、上記したコードコネクタを備えた顕微鏡の対物レンズ加温用ヒータを提供することを、その目的とする。
【課題を解決するための手段】
【０００６】
本発明は上記課題を解決するためになされたものであり、請求項１の発明は、２つ１組のコンタクトが配列された配列面を有するボディと、前記ボディに差し込まれ前記コンタクトと内部で導通接続されたコードを有するコードコネクタを一対備え、各コードコネクタにはマグネットも配列されており、一対のコードコネクタのそれぞれの配列面どうしがマグネットによりＮ−Ｓ吸着することを特徴とする一対のコードコネクタである。
【０００７】
請求項２の発明は、請求項１に記載した一対のコードコネクタにおいて、各コードコネクタの配列面では、コンタクト配列を挟んでその両側にＳ極のマグネットとＮ極のマグネットが配列されていることを特徴とする一対のコードコネクタである。
【０００８】
請求項３の発明は、請求項２に記載した一対のコードコネクタにおいて、Ｎ極とＳ極は色分け表示されていることを特徴とする一対のコードコネクタである。
【０００９】
請求項４の発明は、請求項１から３のいずれかに記載した一対のコードコネクタにおいて、一方のコードコネクタの配列面には凹部が設けられ、他方のコードコネクタの配列面には凸部が設けられ、凹凸係合することを特徴とする一対のコードコネクタである。
【００１０】
請求項５の発明は、請求項１から４のいずれかに記載した一対のコードコネクタにおいて、コードコネクタどうしの結合を機械的に保持する機械的ロック手段が設けられていることを特徴とする一対のコードコネクタである。
【００１１】
請求項６の発明は、請求項５に記載した一対のコードコネクタにおいて、機械的ロック手段は、一方のコードコネクタのボディに結合・離脱方向への移動及び配列面の軸周り回転が可能に外嵌された外筒部と、前記外筒部から前記配列面を超えて先方に突出する爪部と、他方のコードコネクタのボディの外面から突出する掛け部によって構成されていることを特徴とする一対のコードコネクタである。
【００１２】
請求項７の発明は、請求項６に記載した一対のコードコネクタにおいて、外筒部は、ボティに対して、離脱方向の待機位置に弾性的に付勢されていることを特徴とする一対のコードコネクタである。
【００１３】
請求項８の発明は、請求項１から７のいずれかに記載した一対のコードコネクタを介して、顕微鏡の対物レンズ加温用ヒータの加温部とコントローラがコード接続され、温度センサーのセンサー線と加温用の発熱線が前記コードコネクタを介して導通することを特徴とする顕微鏡の対物レンズ加温用ヒータである。
【００１４】
請求項９の発明は、請求項８に記載した顕微鏡の対物レンズ加温用ヒータにおいて、加温部が柔軟なシートで構成されており、倒立顕微鏡用レボルバの対物レンズの鏡筒の隙間から露出した上面に上側から被せて装着することを特徴とする顕微鏡の対物レンズ加温用ヒータである。
【発明の効果】
【００１５】
本発明の一対のコードコネクタは、結合や離脱が容易で、顕微鏡の対物レンズ加温用ヒータの加温部とコントローラを繋ぐのに適している。
【図面の簡単な説明】
【００１６】
【図１】本発明の実施の形態に係る一対のコードコネクタの結合状態の二方向斜視図である。
【図２】図１の各コードコネクタの二方向斜視図である。
【図３】図１のコードコネクタの結合状態（簡易接続）の側面図である。
【図４】図１のコードコネクタの結合状態（強固接続）の側面図である。
【図５】図４に対応した断面図である。
【図６】図１の一対のコードコネクタを備えた顕微鏡の対物レンズ加温用ヒータの使用方法を説明するための斜視図である。
【図７】図６と共に、顕微鏡の対物レンズ加温用ヒータの使用方法を説明するための斜視図である。
【発明を実施するための形態】
【００１７】
本発明の実施の形態に係る一対のコードコネクタ１を説明する。
図１に示すように、このコードコネクタ１は、一対のコードコネクタ３、３５が結合したものである。図１（１）ではコードコネクタ３が下側に図示され、図１（２）では上側に図示されている。
以下、一対のコードコネクタ３、３５について詳細に説明する。
【００１８】
先ず、コードコネクタ３について説明する。
図２で符号５はボディを示し、このボディ５は樹脂成形品になっている。ボディ５の本体７は軸方向後端側が閉塞した円筒形で構成されており、後端閉塞部の中心には円形の差込み孔９が形成されている。一方、軸方向前端側の開口は円プレート状の蓋体１１で閉塞されている。この蓋体１１には、本体７と略同径の短筒状接続部１３が同軸状に連設されており、この接続部１３と本体７の前端部が同軸状に接合されて、一体のボディ５となっている。
【００１９】
蓋体１１の外周部は接続部１３の外径より大きくなって、その分だけ外方に張り出しており、その張出し部分が掛け部１５となっている。
但し、蓋体１１には、外周側に対向して一対の円弧状切欠き１７、１７が形成されて欠けており、その切欠き１７の部位では、接続部１３の外面と略面一になっている。
【００２０】
蓋体１１の前面が略円状の配列面１９になっている。
この配列面１９には中心を跨いで直径方向に浅い凹部２１が設けられており、そこには４個の孔が並んで形成されている。そこからはそれぞれピン状コンタクト２３の平らな天面が略面一状に露出した状態で配列されている。ピン状コンタクト２３は２つ１組になっており、本実施の形態の場合には、二組（Ａ、Ｂ）並んで配列している。
各ピン状コンタクト２３は、図５の断面図に示すように、スプリングコネクタで構成されており、そのハウジング２５は蓋体に内嵌されて固定されている。ハウジング２５からは端子片２６が出ている。
ボディ５の差込み孔９からはコード２７の一端部が差し込まれており、端面から引き出された導線（図示省略）が上記した端子片２６にそれぞれ接続されて導通状態が確立されている。
【００２１】
配列面１９には、上記したピン状コンタクト２３の列の両側にそれぞれ２つの埋込み穴も並んで形成されており、そこには２種類のマグネット２９、３１が埋設されて配列している。一方側に配列したマグネット２９、２９は他方側に配列したマグネット３１、３１とピン状コンタクト２３の列を挟んで対向している。
一方の側のマグネット２９はＮ極になっており、他方の側のマグネット３１はＳ極になっている。マグネット２９は緑色に着色されており、マグネット３１は金属色のままになっている。
【００２２】
更に、配列面１９には、２つのマグネット２９とマグネット２９を仕切るようにその間に板状の凸壁３３が立ち上がっている。
コードコネクタ３は上記したように構成されており、相方の他方のコードコネクタ３５も一部同様な構成を有する。
【００２３】
図２に示すように、コードコネクタ３５のボディ３７も、コードコネクタ３側のボディ５と同様な大きさ及び形状の本体３９と蓋体４１とで構成されている。
但し、軸方向後端側の差込み孔４３の孔縁に沿って外面側が低くなった段差部４５ができている点や、蓋体４１には張出し部分が形成されていない点が異なっている。
【００２４】
蓋体４１の前面の配列面４７も、コードコネクタ３側の配列面１９の凹部２１、ピン状コンタクト２３、マグネット２９、３１に対応して、凹部４９、ピン状コンタクト５１、マグネット５３、５５がそれぞれ設けられている。なお、ピン状コンタクト５１は先端が尖っており、配列面４７から突出している。このピン状コンタクト５１も、図５に示すようにスプリングコネクタで構成されており、そのハウジング５７は蓋体４１に内嵌されて固定されている。ハウジング５７からは端子片５８が出ている。
また、配列面４７には、コードコネクタ３の凸壁３３に代えて凹溝５９が形成されている。この凹溝５９は、凸壁３３に凹凸係合する。
【００２５】
このコードコネクタ３５に繋げるコード２７の一端側は、図１に示すように、金属製のガイド筒６１に通されて一体になっている。このガイド筒６１の軸方向一端の外周面には円環状の外方フランジ６３が連設されている。
このコード２７の一端部が差込み孔４３から差し込まれており、ガイド筒６１の他端部が、上記した段差部４５に当接した状態で固定されている。
コード２７は、コードコネクタ３と同様にピン状コンタクト５１に接続されて導通状態が確立されている。
【００２６】
このコード２７と一体になったコードコネクタ３５側には機械的ロック手段の可動側が取り付けられている。
符号６５は外筒部（ロックカバー）を示す。この外筒部６５も樹脂成形品であり、ボディ３７と同様な円筒状になっており、図１に示すように、後端側閉塞部の中心には円形の挿通孔６７が形成されている。この挿通孔６７の周囲は外面側が一段浅く凹んで環状の段差部６９になっている。
また、外周面には一対のアーム７１、７１が一体に形成されている。アーム７１、７１どうしは直径方向に対向している。各アーム７１は前端開口を超えてその先方に延びており、その先端には爪部７３が形成されている。この爪部７３は中心側に向かって突き出している。また、その基端側は内面側が凹んで凹部７５が作られている。
【００２７】
外筒部６５はボディ３７に外側から遊嵌されており、挿通孔６７と差込み孔４３が同軸状に後端寄りに並んでいる。コード２７は挿通孔６７を通り抜けて外に出ているが、その通り抜け部分にはガイド筒６１が当たっている。
図５に示すように、ガイド筒６１の周囲にはコイルバネ７７が巻き付けられている。そのコイルバネ７７の両端部は外筒部６５の後端閉塞部の内面と、ボディ３７の後端閉塞部の外面にそれぞれ当接しており、外筒部６５に対してボディ３７が離脱しようとする方向に弾性的付勢力が働いている。
【００２８】
外筒部６５はボディ３７に対して軸方向に滑動自在になっており、コードコネクタ３５は、未結合時には、専ら上記した弾性的付勢力を受けて、外筒部６５に対してボディ３７が最大限引き出された待機位置にあり、コード２７に取り付けられた外方フランジ６３が外筒部６５の凹部６９に嵌り込んで略面一となっている。
この状態では、爪部７３の先端は配列面４７から僅かに突出する程度になっている。
【００２９】
コードコネクタ３と、相方のコードコネクタ３５は上記したように構成されている。以下、それらの結合方法について説明する。
図３の側面図に示すように、それぞれの配列面１９と配列面４７どうしが合わされる。
ある程度近づけると、配列面１９側のマグネット２９、２９（Ｎ極）と、配列面４７側のマグネット５５、５５（Ｓ極）が正対し、配列面１９側のマグネット３１、３１（Ｓ極）と、配列面４７側のマグネット５３、５３（Ｎ極）が正対したときにそれぞれのマグネット間にＮ−Ｓ吸引作用が働き、位置がずれると反発作用が働くので、ピン状コンタクト２３Ａ、２３Ａは、ピン状コンタクト５１Ａ、５１Ａに確実に弾接して導通状態が確立し、ピン状コンタクト２３Ｂ、２３Ｂは、ピン状コンタクト５１Ｂ、５１Ｂに確実に弾接して導通状態が確立する。
【００３０】
また、配列面１９側の凸壁３３が配列面４７側の凹溝５９に入り込んで凸凹係合するので、マグネットどうしの正確な正対位置への誘導が図られて、図３に示す簡易接続状態となる。
なお、爪部７３は上記したように僅かに突出しているが、蓋体１１の配列面１９側の傾斜に対応して傾斜しているので、結合の邪魔にはならない。
マグネットの吸引力によりコードコネクタ３とコードコネクタ３５は係合しているので、ある程度の力で引っ張れば容易に離脱することができる。また、上記したように再結合も容易にできる。
【００３１】
上記状態は簡易接続であり、これでも結合状態は安定的に維持されるが、機械的ロック手段により強固にロックさせることができる。
図４に示すように、コードコネクタ３５側の外筒部６５を回して、爪部７３をコードコネクタ３側の切欠き１７に相対する位置にもってきて、その後に、外筒部６５をコードコネクタ３側に寄せると、爪部７１が図４（１）に示すように、切欠き１７を超える。その状態で、外筒部６５をボディ３７に対して軸周り回転させると、爪部７１が、コードコネクタ３のボディ５に形成された掛け部１５の下側に回り込んで掛止されると共に、アーム７１側の凹部７５に掛け部１５が入り込んで凸凹係合する。そして、上記作業をした指を離すと、図４（２）に示すようになり、図５に示すように、コイルバネ７７の弾性的付勢力を受けて、機械的ロック状態が維持される。
【００３２】
図６は、この一対のコードコネクタ１（３、３５）を、顕微鏡の対物レンズ加温用ヒータ７９のコード部分に利用した例を示す。
対物レンズ加温用ヒータ７９は、加温部８１とコントローラ９３がコード接続されている。
このコード２７が分断され、一方側にコードコネクタ３が取り付けられ、他方側にコードコネクタ３５が取り付けられている。なお、コード２７、２７は、コネクタ取付け側がそれぞれ保護カバー２８に通されており、ボディ５、３７の内部へのコードの引込みが防止されている。
【００３３】
加温部８１の本体は、通し穴付きの柔軟な電気的絶縁性の円状シート８３で構成されており、裏面側は粘着性になっている。シート８３の内部は切り抜かれており、半円弧状の縁８５が５つ形成されている。シート８３内には発熱線が這わされている。また、温度センサーの感温素子と繋がれたセンサー線も挿入されている。シート８３は分断されており、その部位にはコネクタホルダ８７、８９が取り付けられている。このコネクタホルダ８７、８９にはそれぞれの対向面にマグネットが埋設されており、Ｓ−Ｎ極の吸引作用により連結されると、シート８３が環状に繋がる。コネクタホルダ８７には接続コネクタ９１が接続されており、この接続コネクタに、コード２７の他端部が差し込まれて、上記した発熱線やセンサー線と導通接続されている。
【００３４】
シート８３をレボルバ（Ｒ）の上面に被せ、レボルバ（Ｒ）から突き出した対物レンズの鏡筒（Ｓ）の５つの基端にそれぞれ縁８５が回り込むように調整する。そして、ホルダ８７、８９どうしを連結すると、図６に示すような状態となる。シート８３は鏡筒（Ｓ）の筒部は覆っていないので、対物レンズに補正環が備えられていても、その操作を邪魔することはない。
【００３５】
観察に使用する対物レンズを変える場合には、レボルバ（Ｒ）を回す前に、図７に示すように、一対のコードコネクタ１のコードコネクタ３とコードコネクタ３５を離脱する。そして、レボルバ（Ｒ）を回し終えた後に、再び、コードコネクタ３とコードコネクタ３５を結合する。
このように、レボルバ（Ｒ）を動かす前に、コード２７をコントローラ９３から切り離すので、コード２７が無理に引っ張られて断線することは無い。
【００３６】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態では、一対のコードコネクタを、顕微鏡の対物レンズ加温用ヒータに適用した例になっているが、本発明はこれに限定されない。
【符号の説明】
【００３７】
１…一対のコードコネクタ
３…コードコネクタ      ５…ボディ      ７…本体      ９…差込み孔
１１…蓋体      １３…短筒状接続部      １５…掛け部      １７…切欠き
１９…配列面      ２１…凹部      ２３…ピン状コンタクト
２５…ハウジング      ２６…端子片      ２７…コード      ２８…カバー
２９、３１…マグネット      ３３…凸壁
３５…コードコネクタ      ３７…ボディ      ３９…本体      ４１…蓋体
４３…差込み孔      ４５…段差部      ４７…配列面      ４９…凹部
５１…ピン状コンタクト      ５３、５５…マグネット      ５７…ハウジング
５８…端子片      ５９…凹溝      ６１…ガイド筒      ６３…外方フランジ
６５…外筒部（ロックカバー）      ６７…挿通孔      ６９…段差部
７１…アーム      ７３…爪部      ７５…凹部      ７７…コイルバネ
７９…顕微用の対物レンズ加温用ヒータ
８１…加温部      ８３…シート      ８５…シート縁      
８７、８９…コネクタホルダ      ９１…接続コネクタ      
９３…コントローラ
Ｒ…レボルバ      Ｓ…鏡筒
【図１】
2017009675.tif 000003
【図２】
2017009675.tif 000004
【図３】
2017009675.tif 000005
【図４】
2017009675.tif 000006
【図５】
2017009675.tif 000007
【図６】
2017009675.tif 000008
【図７】
2017009675.tif 000009